(57)【要約】【課題】作業者が携帯した状態でベルトの長さ調整を容易に行う。【解決手段】作業者は長さ調整部１３におけるグリップ１３２を把持する。長さ調整部１３は、長さが一定の固定ベルト１２を介して操作棹２（ベルト取り付け金具６）に装着されているため、この状態では、刈払機１は、肩ではなく長さ調整部１３から吊り下げられた状態となる。この状態で、作業者がグリップ１３２を把持しながら、ストッパを容易に握ることができる。この際、作業者が可変ベルト１４に触れずにストッパを握れば、可変ベルト１４は短くなり、所望の長さのところでストッパ１３３から手を離せば、その長さが固定される。上記の操作は、作業者が可変ベルト１４を肩に掛けた状態で容易に行うことができる。【選択図】図１
2016067299.tif 000002
【特許請求の範囲】
【請求項１】
長さ調整が可能とされた可撓性のベルトが本体に装着され、前記ベルトの一部が作業者に係止されることによって携帯される構成を具備する携帯作業機であって、
前記ベルトの長さを調整する長さ調整機能をもつ長さ調整手段を具備し、
前記長さ調整手段は、前記本体に設けられたベルト基部に、当該ベルト基部が含まれる特定の領域内から出ないように装着され、前記ベルトは前記長さ調整部を介して前記本体に接続されたことを特徴とする携帯作業機。
【請求項２】
長さが一定とされた可撓性の固定具の一端が前記ベルト基部に装着され、前記固定具の他端に前記長さ調整手段が装着されたことを特徴とする請求項１に記載の携帯作業機。
【請求項３】
前記ベルトにおける前記長さ調整手段によって調整可能な長さは、前記固定具の長さよりも長いことを特徴とする請求項２に記載の携帯作業機。
【請求項４】
前記長さ調整手段は、前記ベルト基部に固定されたことを特徴とする請求項１に記載の携帯作業機。
【請求項５】
前記ベルト基部は、前後方向に延伸する操作棹に設けられ、
作業の際に駆動され前記操作棹の前端に装着された作業部材と、
前記作業部材を駆動する動力源が設けられ前記操作棹に装着された動力部と、
前記操作棹に固定され、作業者に把持されるハンドルと、
を具備し、
前記ベルト基部は、前記携帯作業機の重心位置よりも後方に設けられたことを特徴とする請求項１から請求項４までのいずれか１項に記載の携帯作業機。
【請求項６】
前記作業部材は回転する刈刃であり、前記動力源はエンジンであることを特徴とする請求項５に記載の携帯作業機。
【請求項７】
前記長さ調整手段には、作業者によって把持されるグリップが設けられたことを特徴とする請求項１から請求項６までのいずれか１項に記載の携帯作業機。
【請求項８】
前記長さ調整手段には、前記長さ調整機能が働く状態と前記長さ調整機能が働かない状態とを切り替えるスイッチが設けられたことを特徴とする請求項１から請求項７までのいずれか１項に記載の携帯作業機。
【請求項９】
前記スイッチは、前記長さ調整機能が働かない状態となる側に付勢されたことを特徴とする請求項８に記載の携帯作業機。
【請求項１０】
前記ベルトの両端が共に前記長さ調整手段に装着され、前記長さ調整手段によって、外部に露出した前記ベルトは両端側において同じ量だけ長くなる、あるいは短くなるように長さが調整される構成とされたことを特徴とする請求項１から請求項９までのいずれか１項に記載の携帯作業機。
【請求項１１】
前記長さ調整機能が働く状態において、外部に露出した前記ベルトが短くなるように前記ベルトは前記長さ調整手段によって付勢されたことを特徴とする請求項１から請求項１０までのいずれか１項に記載の携帯作業機。
【請求項１２】
前記長さ調整手段において、前記ベルトの端部はプーリに固定され、前記プーリによって前記ベルトが巻き取られる、あるいは巻き戻されることによって外部に露出した前記ベルトの長さが調整されることを特徴とする請求項１から請求項１１までのいずれか１項に記載の携帯作業機。
【発明の詳細な説明】
【技術分野】
【０００１】
本発明は、作業時に作業者が携帯するために用いられるベルトが装着された携帯作業機の構造に関する。
【背景技術】
【０００２】
携帯作業機の一種である刈払機においては、細長いシャフト（操作棹）の前端（一端）側に刈刃が設けられ、この刈刃が回転することによって草木等の刈払い作業が行われる。こうした刈払機の動力源としては、小型のエンジン等が用いられる。エンジン等を具備する動力部は重くなるため、作業時の重量バランスを良好とするために、動力部はシャフトの後端（他端）側に設けられる。このような刈払機の構成は、例えば特許文献１に記載されている。
【０００３】
この構成の刈払機においては、シャフトの中央付近に、作業時に作業者によって把持されるハンドルが設けられ、このハンドルには、刈刃の回転運動を制御するためのスロットルレバー等が設けられる。更に、シャフトにおけるハンドルのやや後方側には、ベルト取り付け金具が装着され、このベルト取り付け金具には、環状の肩掛けベルトが装着される。作業者は、この肩掛けベルトを肩に掛けることによって、刈払機を肩から吊り下げた状態でハンドルを両手で把持し、シャフトの前端の刈刃を切断対象となる草木等に近接させ、刈り払い作業を小さな負荷で行うことができる。
【０００４】
この際、作業者の体格や、切断対象となる草木の高さ等に応じて、刈刃の地面からの高さは変化させる必要があるため、これに応じて肩掛けベルトの長さも調整可能とされる。肩掛けベルトは、この調整作業が容易に行われるような構成とされる。このため、肩掛けベルトの長さは可変とされ、ロック機構を解除（オフ）した場合において作業者が肩掛けベルトの一部を引くことによって長さが調整可能とされる。作業時はロック機構がオンとされ、肩掛けベルトの長さは変化しないため、作業者は、肩掛けベルトによって刈払機を肩から吊り下げた状態で使用することができる。ロック機構のオン・オフの操作も容易に行うことができる構成とされる。
【先行技術文献】
【特許文献】
【０００５】
【特許文献１】特開２０１３−７８２６８号公報
【発明の概要】
【発明が解決しようとする課題】
【０００６】
作業を効率的に行うためには、肩掛けベルトの長さの調整は、作業者が肩掛けベルトを肩に掛け、刈払機を肩から吊り下げた状態としたままで行えることが好ましい。しかしながら、上記の構成において、刈払機を肩から吊り下げた状態で肩掛けベルトのロック機構をオフした場合には、刈払機の自重によって肩掛けベルトは引き延ばされるため、例えばこの状態で肩掛けベルトを短くする調整は容易ではなかった。
【０００７】
このため、作業者は刈払機の運転を停止し、刈払機を一旦地面等に載置してから肩掛けベルトの長さ調整を行う必要があり、作業を効率的に行うことが困難であった。
【０００８】
すなわち、作業者が携帯した状態でベルトの長さ調整を容易に行うことができる携帯作業機を得ることは困難であった。
【０００９】
本発明は、かかる問題点に鑑みてなされたものであり、上記の問題点を解決する発明を提供することを目的とする。
【課題を解決するための手段】
【００１０】
本発明は、上記課題を解決すべく、以下に掲げる構成とした。
本発明の携帯作業機は、長さ調整が可能とされた可撓性のベルトが本体に装着され、前記ベルトの一部が作業者に係止されることによって携帯される構成を具備する携帯作業機であって、前記ベルトの長さを調整する長さ調整機能をもつ長さ調整手段を具備し、前記長さ調整手段は、前記本体に設けられたベルト基部に、当該ベルト基部が含まれる特定の領域内から出ないように装着され、前記ベルトは前記長さ調整部を介して前記本体に接続されたことを特徴とする。
本発明の携帯作業機は、長さが一定とされた可撓性の固定具の一端が前記ベルト基部に装着され、前記固定具の他端に前記長さ調整手段が装着されたことを特徴とする。
本発明の携帯作業機において、前記ベルトにおける前記長さ調整手段によって調整可能な長さは、前記固定具の長さよりも長いことを特徴とする。
本発明の携帯作業機において、前記長さ調整手段は、前記ベルト基部に固定されたことを特徴とする。
本発明の携帯作業機において、前記ベルト基部は、前後方向に延伸する操作棹に設けられ、作業の際に駆動され前記操作棹の前端に装着された作業部材と、前記作業部材を駆動する動力源が設けられ前記操作棹の後端に装着された動力部と、前記前端と前記後端の間において前記操作棹に固定され、作業者に把持されるハンドルと、を具備し、前記ベルト基部は、前記携帯作業機の重心位置よりも後方に設けられたことを特徴とする。
本発明の携帯作業機において、前記作業部材は回転する刈刃であり、前記動力源はエンジンであることを特徴とする。
本発明の携帯作業機において、前記長さ調整手段には、作業者によって把持されるグリップが設けられたことを特徴とする。
本発明の携帯作業機において、前記長さ調整手段には、前記長さ調整機能が働く状態と前記長さ調整機能が働かない状態とを切り替えるスイッチが設けられたことを特徴とする。
本発明の携帯作業機において、前記スイッチは、前記長さ調整機能が働かない状態となる側に付勢されたことを特徴とする。
本発明の携帯作業機は、前記ベルトの両端が共に前記長さ調整手段に装着され、前記長さ調整手段によって、外部に露出した前記ベルトは両端側において同じ量だけ長くなる、あるいは短くなるように長さが調整される構成とされたことを特徴とする。
本発明の携帯作業機は、前記長さ調整機能が働く状態において、外部に露出した前記ベルトが短くなるように前記ベルトは前記長さ調整手段によって付勢されたことを特徴とする。
本発明の携帯作業機は、前記長さ調整手段において、前記ベルトの端部はプーリに固定され、前記プーリによって前記ベルトが巻き取られる、あるいは巻き戻されることによって外部に露出した前記ベルトの長さが調整されることを特徴とする。
【発明の効果】
【００１１】
本発明は以上のように構成されているので、作業者が携帯した状態でベルトの長さ調整を容易に行うことができる。
【図面の簡単な説明】
【００１２】
【図１】本発明の実施の形態となる刈払機の構成を示す斜視図である。
【図２】本発明の実施の形態となる刈払機において用いられる長さ調整部の斜視図である。
【図３】本発明の実本発明の実施の形態となる刈払機において用いられる長さ調整部の断面図（その１）である。
【図４】本発明の実本発明の実施の形態となる刈払機において用いられる長さ調整部の断面図（その２）である。
【図５】本発明の実施の形態となる刈払機の変形例の構成を示す斜視図である。
【図６】本発明の実施の形態となる送風機の構成を示す斜視図である。
【発明を実施するための形態】
【００１３】
本発明の実施の形態となる刈払機（携帯作業機）の構成について説明する。この刈払機１においては、前後方向に細長い操作棹２の前端に、回転する刈刃（作業部材）３が装着される。刈刃３は、操作棹２の後端に固定された動力部４に内蔵されたエンジン（図示せず）によって駆動される。このため、操作棹２には、エンジンから刈刃３に向かって回転運動を伝達するための伝達軸が同軸に内蔵されている。また、操作棹２の中央付近には、作業者がその左右両端を把持することのできるハンドル５が固定されている。
【００１４】
また、操作棹（本体）２におけるハンドル５が固定された箇所の後方には、小さな三角環状のベルト取り付け金具６（ベルト基部）が設けられている。このベルト取り付け金具６には、吊り下げ部１０の下端に設けられたフック１１を係止することができ、これによって吊り下げ部１０を操作棹２に装着することができる。吊り下げ部１０は、この刈払機１を上側から吊り下げるために用いられる。
【００１５】
吊り下げ部１０においては、可撓性であるがその長さが一定である固定ベルト（固定具）１２が用いられる。固定ベルト１２の一端にはフック１１が装着され、その他端には長さ調整部（長さ調整手段）１３が装着される。長さ調整部１３の内部には、可撓性の可変ベルト（ベルト）１４の両端部が装着される。可変ベルト１４は、その両端部が長さ調整部１３の内部に固定されるため、環状とされた状態で長さ調整部１３に装着される。このため、作業者は、可変ベルト１４を肩に掛けた状態で、刈払機１を肩から吊り下げた形態として使用することができる。また、図１における可変ベルト１４の最上部付近には、厚い生地で形成され可変ベルト１４に沿って移動可能とされた肩当て部１５が装着され、作業者が刈払機１を肩から吊り下げる際に、この肩当て部１５が肩に直接触れる形態とすることができる。また、可変ベルト１４は、実際には連結部１６を境にして分断できる構成とされる。作業者は、作業時における非常時に連結部１６を操作することによって、可変ベルト１４を分断し、刈払機１を体から即時に離すことができる。通常作業時には、可変ベルト１４は、連結部１６によって常に連結されている。
【００１６】
可変ベルト１４の両端部は長さ調整部１３の内部で固定されるため、可変ベルト１４においては、長さ調整部１３の内部に収容された部分と、外部に露出した部分とが存在し、この外部に露出した部分が環状とされている。図１においては、可変ベルト１４におけるこの露出した部分のみが示されている。長さ調整部１３においては、可変ベルト１４におけるこの内部に収容された長さが調整可能とされる。この内部に収容された長さを長くした場合には、可変ベルト１４における露出した部分が短くなり、この内部に収容された長さを短くした場合には、可変ベルト１４における露出した部分が長くなる。
【００１７】
例えば、長身の作業者がこの刈払機１を使用する場合には、可変ベルト１４における露出した部分を長くすることが好ましく、逆に低身長の作業者がこの刈払機１を使用する場合には、可変ベルト１４における露出した部分を短くすることが好ましい。この調整を、長さ調整部１３を用いて行うことができる。あるいは、作業者の身長によるだけでなく、刈刃３による切断対象の高さに応じても、同様の調整を行うことが有効である。特にこの長さ調整においては、作業を中断することなしに長さ調整部１３を操作することができることが好ましいが、上記の刈払機１においては、特にこうした操作を容易に行うことができる。
【００１８】
図２は、この長さ調整部１３周囲を拡大して示す斜視図である。この長さ調整部１３においては、円筒形状の長さ調整部本体１３１の円形状の側面に、作業者が把持することができるグリップ１３２が固定される。また、長さ調整部本体１３１における円周方向の側面の図２における下側には、固定ベルト１２の他端（上端）が固定される。一方、同側面の図２における上側には、円筒形状の中心軸方向に細長い溝（図２において図示せず）が形成されており、可変ベルト１４の両端部はこの溝を通り、長さ調整部本体１３１の中に設けられている。また、長さ調整部本体１３１とグリップ１３２の接合部分近くには、ストッパ（スイッチ）１３３が設けられている。ストッパ１３３は、後述するように、可変ベルト１４における長さ調整部１３の内部に収容される長さが変化する状態（長さ調整機能が働く状態）と、この長さが変化しない状態（長さ調整機能が働かない状態）との切替に用いられる。
【００１９】
図３は、この長さ調整部１３の、長さ調整部本体１３１の中心軸に沿った断面図である。長さ調整部本体１３１の内部には、円筒形状のプーリ１３４が、長さ調整部本体１３１と同軸に設けられる。プーリ１３４は、長さ調整機能がオンの場合には長さ調整部本体１３１の中心軸と等しくされた回転軸Ｒの周りで回転するように設けられ、プーリ１３４の円周方向の側面に、長さ調整部本体１３１の内部に導入された可変ベルト１４の両端部が固定される。このため、プーリ１３４を回転させることによって、可変ベルト１４を巻き取り、可変ベルト１４における長さ調整部本体１３１内部に収容された部分を長くし、可変ベルト１４における外部に露出した部分を短くすることができる。これと逆方向にプーリ１３４を回転させることによって、可変ベルト１４を巻き戻し、可変ベルト１４における長さ調整部本体１３１内部に収容された部分を短くし、可変ベルト１４における外部に露出した部分を長くすることができる。このため、プーリ１３４が回転可能な状態が、長さ調整機能が働く状態となり、プーリ１３４が回転不可能とされた状態が、長さ調整機能が働かない状態となる。
【００２０】
図３におけるプーリ１３４の左側には、プーリ１３４の回転を一方向に付勢するゼンマイバネ１３５が設けられている。ゼンマイバネ１３５が付勢する方向は、プーリ１３４が可変ベルト１４を巻き取る、すなわち、可変ベルト１４における外部に露出した部分を短くするような方向とされる。また、プーリ１３４における右側（ゼンマイバネ１３５と反対側）には、円周面にラチェットの歯が形成されたラチェット部１３６が設けられている。
【００２１】
図４は、図３におけるＡ−Ａ方向の断面図であり、特にラチェット部１３６が設けられた箇所におけるプーリ１３４の回転軸に垂直な構造が示されている。図４においては可変ベルト１４の記載は省略されている。図４における長さ調整部本体１３１の右上側に設けられた溝１３１Ａから下側に向かって導入された可変ベルト１４の両端部がプーリ１３４に固定される。このため、プーリ１３４（ラチェット部１３６）が図４における矢印Ｂの方向に回転した場合には、可変ベルト１４はプーリ１３４に巻き取られ、可変ベルト１４における露出した部分は短くされる。前記の通り、ゼンマイバネ１３５は、この回転方向にプーリ１３４を付勢する。プーリ１３４（ラチェット部１３６）が図４における矢印Ｃの方向に回転した場合には、可変ベルト１４はプーリ１３４から巻き戻され、可変ベルト１４における外部に露出した部分は長くされる。
【００２２】
ストッパ（スイッチ）１３３は、ストッパ軸１３３Ａを中心に回動し、図４に示された状態では、その下端がラチェット部１３６の歯と噛合している。図４に示された状態ではプーリ１３４を回転させることができず、長さ調整機能が働かない。一方、この状態から、図４における矢印Ｄの方向に作業者がストッパ１３３を回動させた場合には、この噛合が解けるため、プーリ１３４を回転させることができ、長さ調整機能が働く。ストッパ１３３は、矢印Ｄと逆方向にバネ（図示せず）によって付勢されている。このため、作業者がストッパ１３３に触れない状態では長さ調整機能は働かず、この長さは一定となる。図１において、作業者はこの状態で可変ベルト１４を肩に掛けて作業をすることができる。
【００２３】
また、図４に示されるように、ラチェット部１３６においては、ラチェット部１３６が矢印Ｃの方向には回転しにくい方向に歯が形成されている。更に、前記の通り、プーリ１３４は矢印Ｂの方向に付勢されている。作業者が露出した可変ベルト１４に触れない状態では、作業者がストッパ１３３を操作しながら長さ調整部本体１３１を肩掛け部分に近づけることによって、プーリ１３４は矢印Ｂの方向に回転し、可変ベルト１４における外部に露出した部分は短くなる。また、作業者がストッパ１３３を操作してプーリ１３４を矢印Ｄの方向に回動させ、ゼンマイバネ１３５に逆らって長さ調整部本体１３１を肩掛け部分から離れる方向に移動させることで、プーリ１３４を矢印Ｃの方向に回転させることができる。これによって、可変ベルト１４における外部に露出した部分を長くすることができる。図２に示されるように、ストッパ１３３をグリップ１３２の近傍に設けることによって、作業者は、グリップ１３２を把持しながらストッパ１３３の操作を容易に行うことができる。
【００２４】
このため、この長さ調整部１３を用いて、可変ベルト１４における外部に露出した部分の長さを容易に調整することができる。なお、こうした長さ調整機能による効果を大きくするためには、固定ベルト１２は短く、可変ベルト１４は長くすることが好ましい。特に、可変ベルト１４において長さ調整部１３によって調整される長さ、すなわち、可変ベルトの両端部がプーリ１３４に巻き取られ、あるいは巻き戻される長さは、固定ベルト１２よりも長くすることが好ましい。
【００２５】
以下では、可変ベルト１４における露出した環状の部分の長さを「可変ベルト１４の長さ」と仮称する。作業者が可変ベルト１４の上部を肩に掛け、刈払機１を吊り下げた状態で可変ベルト１４の長さを調整する際の動作について説明する。このためには、まず、作業者は長さ調整部１３におけるグリップ１３２を把持する。長さ調整部１３は、長さが一定の固定ベルト１２を介して操作棹２（ベルト取り付け金具６：ベルト基部）に装着されているため、この状態では、刈払機１は、肩ではなく長さ調整部１３から吊り下げられた状態となる。このため、可変ベルト１４には力が加わらない状態となる。
【００２６】
この状態で、作業者がグリップ１３２を把持しながら、ストッパ１３３を容易に握ることができる。この際、作業者が可変ベルト１４に触れずにストッパ１３３を操作し、長さ調整部本体１３１を持ち上げることで、前記の通りに、可変ベルト１４は短くなり、所望の長さのところでストッパ１３３から手を離せば、その長さが固定される。一方、作業者がストッパ１３３を握った状態で長さ調整部本体１３１を下方に移動させれば、可変ベルト１４は長くなり、所望の長さのところでストッパ１３３から手を離せば、その長さは固定される。
【００２７】
上記の操作は、作業者が可変ベルト１４を肩に掛けた状態で容易に行うことができる。可変ベルト１４の長さの調整中には、固定ベルト１２によって操作棹２からの距離が制限された長さ調整部１３（グリップ１３２）が作業者によって把持される。このため、この操作中に、刈払機１が上下方向に移動する、あるいはその姿勢が大きく変動することはない。このため、作業を中断せずに、作業者が携帯した状態で可変ベルト１４の長さ調整を容易に行うことができる。
【００２８】
また、上記の構成において、刈払機１は、吊り下げ部１０によって上から吊り下げられた形態とされるため、作業時における刈払機１の姿勢（水平面に対する傾斜）を、操作棹２の長手方向（前後方向）におけるベルト取り付け金具６（ベルト基部）の位置によって調整することができ、この位置は、刈払機１における重心位置に応じて定められる。図１においては、重心位置Ｇは、ハンドル５のやや前方とされている。
【００２９】
刈払機１は、地面近くの草木を切断し易いよう、刈刃３側（前方）を低くした状態とされる。このため、ベルト取り付け金具６は、重心Ｇよりもやや後方に設けられることが好ましい。また、ハンドル５が重心Ｇの近くにあることが好ましいことも明らかである。このため、図１の構成においては、ハンドル５が重心Ｇの直後、ベルト取り付け金具６はハンドル５の直後に近接して設けられている。
【００３０】
このため、ベルト取り付け金具６の操作棹２における取り付け位置を半固定、すなわち、通常は移動できないが固定ねじを緩めることによって取り付け位置を調整することができる構成とすることにより、この刈払機１を様々な作業に最適な姿勢で容易に使用することができる。こうした作業中における姿勢の制御は、刈刃３と反対側にある動力部４が重い場合において特に重要である。このため、上記の構成は、重いエンジンが動力源として動力部４に設けられた刈払機において、特に有効である。
【００３１】
なお、上記の長さ調整部１３において、可変ベルト１４の両端部がプーリ１３４に固定されたため、可変ベルト１４の長さ調整に際しては、可変ベルト１４は、両端部側から同じ長さだけ短く、あるいは長くなるように制御される。このため、図１において可変ベルト１４の最上部にある肩当て部１５は、可変ベルト１４の長さ調整を行った場合でも、変わらずに可変ベルト１４の最上部に位置する。このため、可変ベルト１４の長さが変わった場合でも、作業者は肩当て部１５の位置を調整する必要がない。
【００３２】
ただし、可変ベルトの一方の端部のみをプーリに固定し、他方の端部は例えば長さ調整部本体に固定しても、上記と同様に可変ベルトの長さ調整ができることは明らかである。また、可変ベルトの一方の端部のみをプーリに固定することによって長さ調整部を介して操作棹２に接続し、可変ベルトの他方の端部を、長さ調整部を介さずに直接操作棹２に接続するようにしてもよく、このようにしても可変ベルトの長さ調整を行うことが可能である。あるいは、可変ベルトの一方の端部のみをプーリに固定し、可変ベルトの他方の端部側に大きな環状部分を形成し、この環状部分を作業者の肩に掛け、上記と同様に肩当て部を設置すれば、可変ベルトの長さが変わった場合でも、肩当て部は移動しない。このように、プーリには可変ベルトの少なくとも一方の端部が固定されていればよい。
【００３３】
あるいは、プーリによって可変ベルトの巻き取り、巻き戻しを行う方式以外でも、可変ベルトの端部を移動させることによって可変ベルトにおける露出した部分の長さを同様に調整できる長さ調整部を同様に用いることができる。
【００３４】
また、上記の例では、長さ調整部１３にグリップ１３２が設けられたが、長さ調整部本体自身が作業者によって把持しやすい形状とされていれば、グリップを設ける必要はない。
【００３５】
次に、上記の刈払機１の変形例について説明する。図５は、この刈払機２０の構成を図１に対応させて示す斜視図である。この刈払機２０においても、刈払機１と同様に、操作棹（本体）２、刈刃３、動力部４、ハンドル５が設けられている。ただし、ここでは固定ベルト１２等は設けられず、長さ調整部（長さ調整手段）２３が直接操作棹２に固定される。長さ調整部２３に固定ベルトが装着されず、グリップ１３２が設けられない点以外については前記の長さ調整部１３と同様である。この場合、操作棹２の中心を回転軸Ｒとして、プーリを操作棹２の周りに回転可能に設けることにより、長さ調整部２３の設置領域を小さく抑えることが可能である。
【００３６】
この場合においても、作業者が可変ベルト１４の長さ調整を行う際には、長さ調整部２３を把持するが、長さ調整部２３は、操作棹２と一体化されている。このため、この長さ調整時に刈払機２０は安定して保持される。また、長さ調整が容易であることは前記と同様である。
【００３７】
このように、長さ調整手段は、操作棹に設けられたベルト基部に対する位置関係が制限された状態で装着されていればよい。刈払機１のように固定ベルトを用いた場合には、長さ調整手段は、ベルト基部を中心とした一定の長さ（固定ベルトの長さ）を半径とした領域内を移動することができるが、この領域外には出ないように制限される。このため、狭い範囲内ながらも長さ調整手段を操作棹（本体）に対して移動させることができ、長さ調整時における刈払機１の保持が特に容易である。固定ベルトを用いずに、ベルト基部を含む特定の狭い領域内においてのみ長さ調整手段が移動可能となる構成であれば、同様である。一方、刈払機２０のように、長さ調整部を操作棹に固定した場合は、長さ調整部２３がベルト基部に固定された、あるいは刈払機１における固定ベルトの長さを零とした場合に実質的に等価である。この場合には、構成をより単純とすることができる。
【００３８】
また、上記と同様の長さ調整部は、刈払機以外の携帯作業機においても有効である。図６は、この一例である送風機４０の構成を示す斜視図である。送風機４０においては、ノズル４１の先端から、内蔵されたエンジンによって生成された風が送られる。この際にハンドル４２によってこの送風機４０は作業者に把持されるが、エンジンが使用される場合にはその重量が大きいため、上記と同様の吊り下げ部１０が好ましく用いられる。あるいは、送風時の出力が高く送風時の反作用が大きな場合も同様である。この場合においても、吊り下げ部１０は補助的に用いられ、可変ベルト１４が作業者の肩に掛けられて使用される。この吊り下げ部１０は、刈払機１と同様に、ハンドル（本体）４２に設けられたベルト取り付け金具４３（ベルト基部）に装着される。作業者は、ハンドル４２を把持すると同時に、吊り下げ部１０を肩に掛けてこの送風機４０を使用することができる。この際、可変ベルト１４を肩に掛けた状態でその長さ調整を容易に行うことができる。
【００３９】
肩掛け式のベルトが用いられる他の携帯作業機においても、上記の構成が同様に有効であることは明らかである。
【符号の説明】
【００４０】
１、２０  刈払機（携帯作業機）
２  操作棹（本体）
３  刈刃（作業部材）
４  動力部
５  ハンドル
６、４３  ベルト取り付け金具（ベルト基部）
１０  吊り下げ部
１１  フック
１２  固定ベルト（固定具）
１３、２３  長さ調整部（長さ調整手段）
１４  可変ベルト（ベルト）
１５  肩当て部
１６  連結部
４０  送風機（携帯作業機）
４１  ノズル
４２  ハンドル（本体）
１３１  長さ調整部本体
１３１Ａ  溝
１３２  グリップ
１３３  ストッパ（スイッチ）
１３３Ａ  ストッパ軸
１３４  プーリ
１３５  ゼンマイバネ
１３６  ラチェット部
Ｒ  回転軸
【図２】
2016067299.tif 000003
【図３】
2016067299.tif 000004
【図４】
2016067299.tif 000005
【図１】
2016067299.tif 000006
【図５】
2016067299.tif 000007
【図６】
2016067299.tif 000008